(57)【特許請求の範囲】
【請求項１】
回転操作されるハンドルの回転力を走行車輪に伝達する動力伝達機構を有する移動棚であって、
上記ハンドルの軸は管状の第１の軸であり、
上記第１の軸の内周側を第２の軸が貫通し、
上記ハンドルの中央部に電装品が装着され、
上記第２の軸は、上記電装品につながれるケーブルを通すための溝を有しており、
上記電装品は、上記ハンドルの回転をロックしまた上記ロックを解除するロック機構の動作状態を表す表示部である移動棚。
【請求項２】
上記第２の軸は、上記ハンドルの軸に沿ってスライド可能で、上記ハンドルの回転をロックしまた上記ロックを解除するロック操作軸である請求項１記載の移動棚。
【請求項３】
上記電装品は、上記ハンドルの回転をロックしまた上記ロックを解除する電気的なロック操作部である請求項１記載の移動棚。
【請求項４】
上記第２の軸は管状の軸であり、上記溝はスリット状になっていて上記第２の軸の内部空間が上記溝によって解放されている請求項１，２または３記載の移動棚。
【請求項５】
ロック操作ノブが、寸切りボルトを介して上記第２の軸に一体に結合されている請求項１乃至４のいずれかに記載の移動棚。
【請求項６】
上記寸切りボルトは管状のボルトであってスリット状の溝を有し、上記寸切りボルトの溝と上記第２の軸の上記溝とが重なっている請求項５記載の移動棚。
【発明の詳細な説明】
【技術分野】
【０００１】
本発明は、手動力によって移動させることができる移動棚に関するものである。
【背景技術】
【０００２】
回転操作されるハンドルの回転力を走行車輪に伝達する動力伝達機構を有し、上記ハンドルを手動力で回転させることにより移動させることができる手動式の移動棚が知られている。
【０００３】
従来の手動式の移動棚の例として特許文献１記載のものが知られている。特許文献１記載の移動棚は、側パネルの内側面側に、側パネルとの間に適宜の空間をあけてハンドル支持部材を取り付け、側パネルとハンドル支持部材との間の上記空間に動力伝達機構を取り付けている。さらには、上記空間に、移動棚を移動不能にロックするロック機構の一部を取り付けている。上記ハンドルの軸は、ハンドル支持部材によって確保されている上記側パネルとの間の上記空間内に配置されている軸受によって支持されている。
【０００４】
上記ロック機構は、ロック操作ノブがハンドルの回転中心部にある。上記ロック機構がロック状態にあるのかロック解除状態にあるのかは、ロック操作ノブがハンドルの回転面に対して比較的大きく突出しているか否かを観察することによって知ることができる。ロック操作ノブが突出しているか否かをわかりやすくするために、ロック操作ノブのハンドルの回転面からの突出部分を目立つ色に着色しているものもある。
【０００５】
しかし、ロック操作ノブの突出量が大きいか小さいかを視認することは容易ではなく、移動棚がロックされているか否かを判別することは難しい。
【０００６】
従来の手動式移動棚には、電動式のロック機構を備えているものもある。電動式のロック機構は、移動棚のロックおよびロック解除を、スイッチ操作により電動力を利用して行う。移動棚のロックおよびロック解除を行うスイッチは、移動棚の側面のパネルに設置されている。しかし、上記スイッチを見る方向によってはハンドルが邪魔になり、移動棚がロック操作されているのかロック解除操作されているのか判別しにくい。上記スイッチの操作状態を、上記パネルに設けた発光部の点灯、消灯で示すようにしているが、発光部の視認性も上記の理由と同じ理由でよくない。
【０００７】
上記発光部をハンドルの回転中心部に設けることができれば、その視認性がよくなるので、移動棚がロックされているか否かを容易に判別することができる。上記発光部をハンドルの回転中心部に設けるには、ハンドルの回転中心部に電線すなわちケーブルを通す必要がある。上記ケーブルは、ハンドルの回転に伴って捩れるようなことがあってはならず、ハンドルが回転しても態勢が変化しない構造でなくてはならない。また、ハンドルの回転中心部にケーブルを通す作業はなるべく容易に行うことができる構造であることが望まれる。しかしながら、ロック操作部材がハンドルの中心部にある移動棚において、上記ロック操作部材に電装品を装着した構成は、ケーブルを通すことが困難であることもあって、まだ実現していない。
【先行技術文献】
【特許文献】
【０００８】
【特許文献１】実公平６−２０４３０号公報
【発明の概要】
【発明が解決しようとする課題】
【０００９】
本発明は、ハンドルの回転中心部に電装品が装着され、ハンドルの軸の内方にケーブルを通す必要がある場合に、容易にケーブルを通すことができる移動棚を提供することを目的とする。
【課題を解決するための手段】
【００１０】
本発明は、
回転操作されるハンドルの回転力を走行車輪に伝達する動力伝達機構を有する移動棚であって、
上記ハンドルの軸は管状の第１の軸であり、
上記第１の軸の内周側を第２の軸が貫通し、
上記ハンドルの中央部に電装品が装着され、
上記第２の軸は、上記電装品につながれるケーブルを通すための溝を有しており、
上記電装品は、上記ハンドルの回転をロックしまた上記ロックを解除するロック機構の動作状態を表す表示部であることを最も主要な特徴とする。
【発明の効果】
【００１１】
ケーブルは、ハンドルの管状の軸内において第２の軸の溝を通して配線することができ、配線は容易である。
【図面の簡単な説明】
【００１２】
【図１】本発明に係る移動棚の実施例を示す外観側面図である。
【図２】上記実施例の要部を移動棚の内面側から見た拡大側面図である。
【図３】図１に示すＡ−Ａ線に沿う拡大断面図である。
【図４】図１に示すＢ−Ｂ線に沿う断面の一部分を拡大して示す断面図である。
【図５】上記実施例中のロック操作軸示すもので、（ａ）は側面図、（ｂ）は平面図、（ｃ）は正面図である。
【図６】上記実施例中の寸切りボルトを示すもので、（ａ）は側面図、（ｂ）は正面図である。
【図７】本発明に係る移動棚の別の実施例を図４に準じて示す拡大断面図である。
【図８】本発明の技術思想を持たない移動棚の比較例を示す要部拡大断面図である。
【図９】上記比較例の要部を移動棚の内面側から見た拡大側面図である。
【発明を実施するための形態】
【００１３】
以下、本発明に係る移動棚の実施例について、図面を参照しながら説明する。
【実施例】
【００１４】
まず、移動棚の実施例の概要を説明する。図１において、移動棚１は、紙面に直交する方向に広がった物品の収納、取り出し面を有している。物品の収納、取り出し面を間口面という場合もある。本明細書では、上記間口面を正面とする。図１は移動棚１の側面を示している。
【００１５】
移動棚１は側面に側パネル１０を有し、側パネル１０には回転操作可能なリング状のハンドル２０が側パネル１０の外側に突出して設けられている。移動棚１の底部には走行車輪２が回転可能に支持されている。走行車輪２はレール３の上に載せられ、レール３上で走行車輪２が転がることにより、移動棚１はレール３に沿って移動することができる。移動棚１の移動方向は上記間口面に対し直交する方向すなわち図１において左右方向である。
【００１６】
ハンドル２０は複数本のスポーク２１を有し、スポーク２１は、ハンドル２０の中心部においてハブ２２に集合している。ハンドル２０と走行車輪２との間には、動力伝達機構が介在している。上記動力伝達機構は減速機構になっていて、手動力によるハンドル２０の回転操作で、移動棚１を軽快に移動させることができる。ハンドル２０には取っ手２３が取り付けられていて、取っ手２３をつかんでハンドル２０を回転操作するようになっている。
【００１７】
通常、移動棚１は複数台がレール３の上に載せられ、物品の出し入れをしようとする移動棚１の前面すなわち間口面に、作業に必要な空間を設け、他の移動棚１は収束させることができる。したがって、複数台の移動棚１を設置することにより、限られた空間を物品収納空間として利用することができる。上記移動棚１の前面に形成される作業に必要な空間を「作業通路」という。以下、本発明に係る移動棚の実施例をより詳細に説明する。
【実施例１】
【００１８】
図２乃至図４に示すように、側パネル１０の背面にはハンドル支持部材４０が固定されている。ハンドル２０は、図１に示すように、人が立った姿勢で回転操作するのに適した移動棚１の高さ位置に設けられており、ハンドル２０の高さ位置に対応した高さ位置にハンドル支持部材４０が固定されている。ハンドル支持部材４０は、金属板の両側縁部が折り曲げられることによって形成され、上記折り曲げ部が側パネル１０にボルト等で結合されることにより、側パネル１０の内面との間に適宜の幅の空間をおいて固定されている。
【００１９】
側パネル１０とハンドル支持部材４０を管状の軸からなるハンドル軸２４が貫通している。ハンドル軸２４は、側パネル１０の外側面側に配置された軸受２６の内輪と、ハンドル支持部材４０と側パネル１０との間の上記空間に配置された軸受２８の内輪とに結合されている。軸受２６の外輪は側パネル１０に結合され、軸受２８の外輪はハンドル支持部材４０の内面側に結合されている。したがって、ハンドル軸２４は軸受２６，２８によって回転可能に支持されている。軸受２６がメインの軸受けであり、これを第１の軸受けとし、軸受２８を第２の軸受けとする。
【００２０】
ハンドル軸２４の側パネル１０側の端部はハンドル２０のハブ２２の中心部に結合されている。リング状のハンドル２０の内周部からは複数本（図１に示す例では２本）のスポーク２１が中心に向かって延び、各スポーク２１はハブ２２に集合しハブ２２と結合している。側パネル１０とハンドル支持部材４０との間において、スプロケット６０とロック板３５がハンドル軸２４の外周に嵌められ、スプロケット６０とロック板３５はハンドル軸２４と一体に結合されている。したがって、ハンドル２０と各スポーク２１とハブ２２とハンドル軸２４とスプロケット６０とロック板３５は、一体となって回転可能である。スプロケット６０は側パネル１０側にあり、スプロケット６０と第２の軸受け２８との間にロック板３５がある。
【００２１】
ハンドル支持部材４０には、移動棚の側面側から見てスプロケット６０の斜め下方においてテイクアップ用のスプロケット８０が支持されている。スプロケット６０は、回転操作されるハンドル２０の回転力を走行車輪２に伝達する動力伝達機構の一部を構成している。スプロケット８０は、動力伝達機構を構成するチェーンの張力を調整するものである。ハンドル２０の外周部には、ハンドル２０を回転操作するときに使用することができる取っ手２３が設けられている。
【００２２】
上記ハブ２２には、側パネル１０との対向面側に円形の凹部２５が形成されている。この凹部２５に第１の軸受２６が進入し、軸受２６はハブ２２で囲まれている。
【００２３】
前記ロック板３５は、移動棚１を移動不能にロックするロック機構３０の構成部材の一つである。ロック機構３０は、ロック操作部としてのロック操作ノブ３１と、ロック操作軸３２と、腕３８と、係合突起３４と、ロック板３５を有してなる。ロック操作軸３２は管状のハンドル軸２４の内周側を貫通している。ハンドル軸２４を第１とし、ロック操作軸３２を第２の軸とする。ロック操作軸３２の前端部はハンドル軸２４から突出し、ハブ２２の前端側に形成されている窪み内にある。
【００２４】
ハンドル軸２４の前端から突出しているロック操作軸３２の前端部に、ロック操作ノブ３１の後端に形成されている中心孔が圧入されている。ロック操作ノブ３１はロック操作軸３２と一体となってロック操作軸３２の前端部を構成している。ロック操作ノブ３１の前端部は、ハンドル２０の前端よりも僅かに前方に突出している。ロック操作ノブ３１を摘まんで引っ張り、また、ロック操作ノブ３１を押すことによって、ロック操作軸３２はハンドル軸２４に沿ってスライド可能である。
【００２５】
ロック操作軸３２の後端部はハンドル軸２４およびハンドル支持部材４０の背後に突出している。ロック操作軸３２の後端には板状の腕３３の基端部が結合されている。腕３３は、ロック操作軸３２からハンドル支持部材４０と平行に下方に伸びている。腕３３の先端寄りの位置には係合突起３４が固着されている。係合突起３４は側パネル１０の方に向かって延びていて、ハンドル支持部材４０の孔を貫通している。
【００２６】
係合突起３４はロック板３５の外周縁部に対向する位置にあり、図３、図４に示す態様では、係合突起３４の先端とロック板３５とが離間している。ロック操作ノブ３１、ロック操作軸３２、腕３３、係合突起３４を含む構成部分を「ロック操作部材」という。係合突起３４が上記ハンドル支持部材４０の孔を貫通することにより、「ロック操作部材」の周り止めがなされている。換言すれば、係合突起３４は、前記第２の軸であるロック操作軸３２の回転止め部材を兼ねている。
【００２７】
ロック板３５は、図２に示すように、円板の外周縁部に複数の切欠き３５１が等間隔で形成された歯車に似た形の部材である。ロック板３５の切欠き３５１が形成されている外周縁部に対向して上記係合突起３４が位置している。係合突起３４がロック板３５から離間している図２、図３に示す態様ではハンドル２０を回転操作することができ、ハンドル２０の回転操作によって移動棚１を移動させることができる。
【００２８】
移動棚１への物品の出し入れ作業を行う場合など、移動棚１が妄りに移動すると不都合が生じる場合には、ロック操作ノブ３１を引き、上記「ロック操作部材」を移動させ、係合突起３４をロック板３５の切欠き３５１の一つに係合させる。この態様ではロック板３５の回転が阻止されるため、ハンドル２０もスプロケット６０も回転不能にロックされる。スプロケット６０のロックにより、スプロケットから前記走行車輪２に至る動力伝達機構も動作することができず、走行車輪２も回転することができない。よって、移動棚１は移動不能にロックされる。ロック操作ノブ３１を押し込めば、係合突起３４がロック板３５から離間し、移動棚１のロックが解除される。
【００２９】
このように、ロック機構３０を構成するロック板３５に対し、ロック機構３０を構成する係合突起３４を係合させ、また、離脱させることによって、移動棚１を移動不能にロックし、また、ロックを解除することができる。
【００３０】
前記ハンドル２０の中央部、より具体的にはロック操作ノブ３１の中央部には、電装品としての発光素子５０が装着されている。発光素子５０の周囲は光を通すことができる樹脂製のキャップ３６で覆われている。発光素子５０が点灯するとキャップ３６を通して光が散乱することによってキャップ３６が光るので、発光素子５０の点灯を容易に視認することができる。発光素子５０は、ロック機構３０によって移動棚がロックされているか否かを表示するためのもので、例えば、発光素子５０が点灯していればロック、消灯していればロック解除を表示しているものとすることができる。
【００３１】
ロック操作ノブ３１に発光素子５０などの電装品を装着すると、電装品にケーブルをつなぐ必要がある。図示の実施例では、電装品としての発光素子５０にケーブルをつなぐための以下のような工夫がなされている。
【００３２】
ロック操作軸３２は、図５に示すように、直線状に伸びた管状の軸である。ロック操作軸３２の一端側の内周には雌ねじ３２１が形成されている。ロック操作軸３２の他端側の外周には前記腕３８の孔が圧入や溶接などによって固着されている。腕３８の先端部、図示の例では腕３８の下端部の一面側には前記係合突起３４が固着されている。管状のロック操作軸３２の周壁には、ロック操作軸３２の長さ方向全体にわたり直線状の溝３２２が形成されている。溝３２２の深さはロック操作軸３２の周壁の厚さ全体に及ぶことにより、溝３２２はスリット状になっていて、ロック操作軸３２の横断面形状はＣ字状になっている。ロック操作軸３２の内部空間は溝３２２により解放されている。
【００３３】
ロック操作軸３２の雌ねじ３２１には寸切りボルト４２がねじ込まれている。寸切りボルト４２は、長さ方向全体にわたり雄ネジが形成されたボルトのことで、「全ネジ」とも称される。本実施例における寸切りボルト４２は、図６に示すように、管状のボルトでありかつ長さ方向全体にわたり直線状の溝４２１が形成されている。溝４２１の深さは管状の寸切りボルト４２の周壁の厚さ全体に及ぶことにより、溝４２１はスリット状になっていて、寸切りボルト４２の横断面形状はＣ字状になっている。寸切りボルト４２の内部空間は溝４２１により解放されている。
【００３４】
寸切りボルト４２の長さ方向の約半分がロック操作軸３２の雌ネジ３２１にねじ込まれている。ロック操作軸３２の一端部から突出している寸切りボルト４２の長さ方向の残りの約半分に、ロック操作ノブ３１の後端部がねじ込まれている。寸切りボルト４２を介してロック操作ノブ３１とロック操作軸３２が結合され、前記腕３８と係合突起３４も含めて「ロック操作部材」を構成している。ロック操作軸３２と寸切りボルト４２は、それぞれの溝３２２と溝４２１が重なるように、回転方向に位置決めされて結合されている。
【００３５】
図２乃至図４において、ロック操作ノブ３１は、発光素子５０を支持しかつキャップ３６が被せられる基板３７を有している。基板３７には、発光素子５０の実装面とは反対側の面にコネクタ５２が固着されている。ロック操作ノブ３１の内部には、寸切りボルト４２の端面と基板３７との間に空間３９が設けられている。コネクタ５２には、発光素子５０に給電するためのケーブル５５の端部に設けられているケーブルコネクタが結合されている。上記空間３９は、コネクタ５２およびケーブルコネクタを収納するために設けられている。
【００３６】
上記ケーブル５５は、管状のロック操作軸３２および寸切りボルト４２内に引き通されている。ケーブル５５の一端は上記のように発光素子５０に接続されている。ケーブル５５の他端は、ロック操作軸３２から腕３８の背後に引き出され、ハンドル支持部材４０の背面側に固着されている主制御基板５８に接続されている。主制御基板５８は、移動棚の電気回路全体の動作を制御する。発光素子５０への給電制御に関しては、例えば、前記「ロック操作部材」が移動棚をロックしているときは給電し、ロック解除によって給電を停止するというような制御を行う。
【００３７】
発光素子５０に限らず、ロック操作ノブ３１に電装品を装着するには、電装品につながるケーブルを引き回す必要がある。上記実施例では、ハンドル軸２４を管状の軸とし、ハンドル軸２４を貫通するロック操作軸３２に溝３２２を形成してこの溝３２２にケーブル５５を引き通す構造にした。上記実施例によれば、ロック操作ノブ３１に電装品を装着しても配線が可能である。ロック操作軸３２は前述の通り回転止めがなされているため、ハンドル２０を回転操作してもケーブル５５が捩れることはない。
【００３８】
上記実施例では、ロック操作軸３２が管状の軸になっているため、ロック操作軸３２内にケーブル５５を引き通すことができる。これに加えて、ロック操作軸３２の溝３２２がロック操作軸３２の内部空間を開放しているため、溝３２２からロック操作軸３２内にケーブル５５を引き通せばよく、ケーブル５５の配置がさらに容易になっている。
【００３９】
上記実施例ではさらに、ロック操作ノブ３１とロック操作軸３２を結合するために寸切りボルト４２が介在している。ロック操作軸３２と寸切りボルト４２はともに管状の部材で、これらロック操作軸３２と寸切りボルト４２内にケーブル５５を収納するためにそれぞれ溝３２２、溝４２１を有している。ロック操作軸３２の溝３２２と寸切りボルト４２の溝４２１は、互いに連続するように半径方向に重ねて形成され、ロック操作軸３２と寸切りボルト４２内にケーブル５５を収納するのに支障がない構造になっている。
【００４０】
上記実施例では、ロック操作軸３２の実質的な前端といえる寸切りボルト４２の前端に、空間３９をおいて基板３７が対向している。したがって、ロック操作軸３２内に通したケーブル５５の一端部を空間３９に出し、基板３７に実装されているコネクタ５２とケーブル５５の一端部のコネクタとを空間３９内で結合することができる。こうして、ケーブル５５と発光素子５０を容易に接続することができる。
【実施例２】
【００４１】
上記実施例はロック操作軸３２を機械的にスライドさせて移動棚のロックおよびロック解除を行う構成になっていたが、図７に示す第２の実施例は、スイッチ操作により電気的に移動棚のロックおよびロック解除を行うものである。以下、第２の実施例について説明するが、上記実施例の構成と同じ構成部分には共通の符号を付して説明を簡略化し、上記実施例の構成と異なる部分を重点的に説明する。
【００４２】
図７において、第１の軸であるハンドル軸２４の内周側を貫く第２の軸２３２は、上記実施例のロック操作軸３２と異なり、ハンドル軸２４に対してスライドすることはできない。第２の軸２３２の後端には腕１３８が固着されている。腕１３８は第２の軸２３２の回転止め部材であって、ハンドル支持部材４０の背面に止めネジなどで固着されている。第２の軸２３２の前端部内周には寸切りボルト１４２がねじ込まれている。第２の軸２３２と寸切りボルト１４２は、前記実施例におけるロック操作軸３２と寸切りボルト４２の構成と同じで、それぞれ後述の電装品につながれるケーブル５５を通すための溝を有している。
【００４３】
第２の軸２３２の前端から突出している寸切りボルト１４２の前端部には独楽の形をした台座１４３の中心孔がねじ込まれ、台座１４３が寸切りボルト１４２および第２の軸２３２と一体に結合されている。台座１４３はハンドル２０のハブ２２に形成されている窪みにはまり、台座１４３の外周がハブ２２で囲まれている。台座１４３の前面には光透過性の樹脂などからなるカバー１４４が被せられている。カバー１４４の前面はハブ２２の外周面に連続する緩やかな球面になっている。
【００４４】
台座１４３とカバー１４４に挟まれて回路基板１４５が配置されている。回路基板１４５の前面側には発光素子１４６が実装され、回路基板１４５の背面側にはコネクタ１４７が実装されている。発光素子１４６はカバー１４４に形成されている逃げ孔内に位置し、発光素子１４６が点灯すると、発光素子１４６の光がカバー１４４内を乱反射しながら伝搬し、光がカバー１４４全体から光が発せられる。発光素子１４６は、ハンドル２０の前端部の中央部に装着され、カバー１４４で覆われた電装品である。
【００４５】
回路基板１４５には、カバー１４４に手を触れることにより、あるいは手を近接させることにより動作するスイッチないしはセンサ（以下「センサ」という）が組み込まれている。本実施例ではこのセンサとして静電センサを用いている。上記センサの信号および発光素子１４６の駆動信号を伝達するケーブル５５を回路基板１４５から引き出すために上記コネクタ１４７がある。コネクタ１４７から引き出されたケーブル５５は、寸切りボルト４２および第２の軸２３２の内周側に前述の溝を通して配置されている。ケーブル５５は、ハンドル支持部材４０の背面側に配置されている主制御基板５８に接続されている。
【００４６】
台座１４３の中心孔の後部が寸切りボルト１４２にねじ込まれ、台座１４３の中心孔の前部は空間になっている。この空間は、コネクタ１４７およびケーブルの収納空間になっている。
【００４７】
ハンドル支持部材４０の上端には、ハンドル２０の回転を電気信号によってロックし、ロックを解除するソレノイドなどのアクチュエータ１５０が固定されている。アクチュエータ１５０はその下端から突出しまた後退する作動部材を有する。この作動部材はロック板３５の上方にあり、作動部材が後退した状態ではロック板３５から離れてハンドル２０の回転を可能にし、作動部材が突出した状態ではロック板３５の切り欠きに進入してハンドル２０の回転を阻止する。すなわち、アクチュエータ１５０の作動態様によって、移動棚が移動不能となるロック態様と、移動棚が移動可能なロック解除態様とに切り替えられる。
【００４８】
アクチュエータ１５０の動作は主制御基板５８によって制御される。本実施例では、前記回路基板１４５に組み込まれている前記センサの動作を主制御基板５８において判別し、この判別に基づいてアクチュエータ１５０の動作を制御する。上記判別のための信号はケーブル５５を経て主制御基板５８に入力される。上記センサは、上記カバー１４４に手を触れるか否かまたは近接させるか否かによって動作する。したがって、第２の軸２３２の前端部は、ハンドル２０の回転をロックしまた上記ロックを解除する電気的なロック操作部になっている。
【００４９】
上記ロック操作部に手を触れまたは近接させることによって主制御基板５８がアクチュエータ１５０を動作させて移動棚を移動不能にロックする。このロック態様において、主制御基板５８はケーブル５５を経て発光素子１４６に向けて駆動信号を送り、発光素子１４６を発光させる。上記ロック操作部に再度手を触れまたは近接させると、主制御基板５８はアクチュエータ１５０の動作を停止させ、アクチュエータ１５０を復帰させて移動棚のロックを解除する。また、発光素子１４６の発光を停止する。
【００５０】
上記第２の実施例からも明らかなように、移動棚のロック機構を電動力で作動させる場合も、静電センサや発光表示素子との間で信号をやり取りするためのケーブルが必要である。回転操作するハンドルの中心部に静電センサや発光表示素子を設けると、これら静電センサや発光表示素子につなぐケーブルの処理に工夫を要する。第２の実施例においても第１の実施例と同様に、ハンドルの軸の内周側に設けた第２の軸にケーブルを通すための溝を設けたことにより、ケーブルの配線が容易になった。
【００５１】
［比較例］
本発明に係る移動棚の実施例の効果を明確にするために、本発明が特徴としている構成を備えていない旧来の移動棚の例について説明する。前記実施例の構成部分と同じ構成部分には共通の符号を付している。
【００５２】
図８および図９において、移動棚は、側パネル１０の外側においてハンドル１２０が取り付けられている。ハンドル１２０は複数本のスポーク１２１を有し、各スポーク１２１はハンドル１２０の中心部のハブ１２２に結合されている。ハブ１２２の中心には管軸１２４が圧入されている。管軸１２４は、側パネル１０の内面側に外輪が固定された第１の軸受２６の内輪と、ハンドル支持部材４０に外輪が固定された第２の軸受２８の内輪に結合されている。もって、ハンドル１２０およびその管軸１２４は、回転自在に支持されている。
【００５３】
側パネル１０とハンドル支持部材４０との間には空間があり、この空間においてスプロケット６０とロック板３５があり、スプロケット６０とロック板３５は管軸１２４の外周に一体に結合されている。スプロケット６０にはチェーンが掛けられ、チェーンはまた移動棚の底部の車輪と実質一体のスプロケットに掛けられている。上記スプロケット６０、チェーンなどによって、ハンドル１２０の回転力を走行車輪に伝達する動力伝達機構を構成している。この動力伝達機構は減速機構を構成しており、重たい移動棚であっても、手動によるハンドル１２０の回転操作によって容易に移動させることができる。
【００５４】
図８、図９に示すように、移動棚はロック機構を備えている。ロック機構の一部を構成するロック板３５は、側パネル１０とハンドル支持部材４０との間の空間内において、スプロケット６０と第２の軸受２８との間に配置されている。ロック操作部材は、ロック操作ノブ１３１と、ロック操作軸１３２と、腕１３３と、係合突起１３４を有してなる。ロック操作軸１３２と、腕１３３と、係合突起１３４は、１本の円柱状の部材を折り曲げることによって形作られている。腕１３３はハンドル支持部材４０の外側面に沿って下方に折り曲げられている。係合突起１３４は、ロック板３５の外周縁部の切り欠きの一つに係合し、また離間して、移動棚を移動不能にロックしまたロックを解除する。
【００５５】
図８、図９に示す移動棚の比較例では、ロック操作軸１３２が１本の円柱状の部材を折り曲げることによって形作られているため、ロック操作軸１３２内にケーブルを引き通すことはできなかった。したがって、上記移動棚の比較例では、ロック操作ノブ１３１に電装品を装着するという発想はなかった。
【００５６】
［本発明の実施例の効果］
以下、本発明に係る移動棚の前記実施例による効果を述べる。
ロック操作軸あるいは第２の軸がケーブルを通すための長さ方向の溝を有しているため、ロック操作ノブあるいは第２の軸の前端部に発光素子などの電装品を装着することが可能になった。ロック操作軸あるいは第２の軸は管状のハンドル軸を貫通していて、ハンドル軸が回転してもロック操作軸は回転しないから、ケーブルがねじれることはない。
【００５７】
「ロック操作部材」が移動棚をロックしているか否かを表示するのに、発光素子が点灯しているかまたは消灯しているかによって視認することができる。前記比較例を含む従来の移動棚における移動棚のロックまたはロック解除の表示は、ロック操作ノブの突出量によって判断しなければならず、明確な判断がしにくかった。本発明の実施例によれば、発光素子が点灯しているか消灯しているかによって移動棚がロックされている状態かロックが解除された状態かを表示するため、判断が容易である。
【００５８】
ロック操作軸あるいは第２の軸は管状の軸であり、ロック操作軸あるいは第２の軸内にケーブルを収納するのは容易である。加えて、ロック操作軸あるいは第２の軸は、ロック操作軸あるいは第２の軸の長さ方向の溝を有しているため、溝からロック操作軸あるいは第２の軸内にケーブル５５を収納すればよく、ケーブルの収納はさらに容易になっている。
【００５９】
ロック操作部とロック操作軸あるいは第２の軸を結合するために寸切りボルトが介在しているが、ロック操作部とロック操作軸あるいは第２の軸はともに管状の軸であり、それぞれ溝を有している。これらの溝は周方向の位置を同じくして重なっているため、これらの溝からケーブルを収納すればよく、ケーブルの収納が容易になっている。
【００６０】
ロック操作軸あるいは第２の軸内にケーブルを収納することを考慮してロック操作軸あるいは第２の軸は直線状でかつ管状の軸とし、ロック操作軸あるいは第２の軸の後端部に設けた腕などで周り止めをおこなっている。よって、前記比較例のようにロック操作軸を複雑に曲げ加工する必要がなく、直線状のロック操作軸あるいは第２の軸内へのケーブルの収納作業も容易である。
【００６１】
ロック操作部に装着した電装品としての発光素子とケーブルの接続は、ロック操作部内に設けた空間内でコネクタにより接続すればよく、電気的な接続が容易である。
【００６２】
［変形例］
本発明に係る移動棚は前記実施例の構成に限定されるものではなく、各部の構成を以下のように変形しても差し支えない。
【００６３】
前記実施例では、ロック操作軸あるいは第２の軸が管状の軸であったが、ロック操作軸あるいは第２の軸は忠実の軸であってもよく、ケーブルを通すための溝が長さ方向に形成されていればよい。また、ケーブルを通すための溝がロック操作軸あるいは第２の軸の長さ方向に形成されていれば、前記比較例におけるロック操作軸１３２のように、１本の円柱状の部材を折り曲げることによって形作られていてもよい。かかる構成であっても本願発明が期待している効果を得ることができる。
【００６４】
前記実施例では、第１の軸受２６が側パネル１０の外側面側にあってハンドル２０のハブ２２で囲まれているが、第１の軸受２６は前記比較例のように側パネル１０の内側面側にあってもよい。
【００６５】
ロック操作部に装着する電装品は発光素子に限らない。指令信号を出力するためのスイッチや切り替えスイッチでもよく、発光素子以外の表示素子であってもよい。いずれにせよ、ロック操作軸あるいは第２の軸が、ロック操作部に装着されている電装品に接続されるケーブルを通すための溝を有していることが、本発明に不可欠の構造の一つである。
【００６６】
第１の実施例において、ロック操作軸３２の後端部に固着されている腕３８は、ロック操作軸３２から水平方向に伸びていてもよい。
【００６７】
２    走行車輪
１０    側パネル
２０    ハンドル
２１    スポーク
２２    ハブ
２３    取っ手
２５    凹部
２４    ハンドル軸
２６    軸受
３０    ロック機構
３１    ロック操作ノブ
３２    ロック操作軸
３４    係合突起
３５    ロック板
３６    キャップ
３７    基板
３８    腕
３９    空間
４０    ハンドル支持部材
４２    寸切りボルト
５０    電装品である発光素子
５５    ケーブル
５８    主制御基板
６０    スプロケット
３２２    溝
４２１    溝
【図１】
0006617318.tif 000002
【図２】
0006617318.tif 000003
【図３】
0006617318.tif 000004
【図４】
0006617318.tif 000005
【図５】
0006617318.tif 000006
【図６】
0006617318.tif 000007
【図７】
0006617318.tif 000008
【図８】
0006617318.tif 000009
【図９】
0006617318.tif 000010